(57)【要約】【課題】フレーム部に対するベースユニット部やコイン容器部の組付けを、確実に容易に行えるようにする。【解決手段】フレーム部に備える、コイン容器部の固定に用いるためのコイン容器固定レバー２１に、ベースユニット部を固定するための、凸の形状を備えたベースユニット部固定凸部２１６を設ける。この凸の形状は、コイン容器部未装着時に、該コイン容器固定レバー２１に働く付勢力によって押し付けることで、該ベースユニット部側のベースユニット部固定凹部形状４２７に嵌まり込み、該ベースユニット部が固定される。コイン容器固定レバー２１を用いて、コイン容器部、及びベースユニット部が共に、フレーム部上に固定することができる。【選択図】図８
2010218167.tif 000002
【特許請求の範囲】
【請求項１】
投出するためのコインを貯留するコイン容器部と、所定枚数のコインを投出する機構を有するベースユニット部と、該ベースユニット部を保持するフレーム部とを備え、組付け作業者が、これらコイン容器部及びベースユニット部をフレーム部上に組付け及び分解可能なコイン投出装置であって、
フレーム部に備える、コイン容器部の固定に用いるためのコイン容器固定レバーに、凸又は凹の形状を備えたベースユニット部固定部を設けると共に、
この凸又は凹の形状は、コイン容器部未装着時に、該コイン容器固定レバーに働く付勢力によって押し付けることで、ベースユニット部側の形状に嵌まり込み、該ベースユニット部を固定可能な形状であり、
フレーム部にベースユニット部を固定し組付けた後に、前記コイン容器固定レバーを少なくとも用いて、コイン容器部を、これらフレーム部及びベースユニット部に組付けることを特徴とするコイン投出装置。
【請求項２】
フレーム部に組付け時に組付け作業者側となるベースユニット部の先端に、くさび状片を形成すると共に、
該組付け時に、該先端が上下動となる旋回可能な旋回支点となるよう、組付け作業者の向こう側に位置するフレーム部の載置面に、ベースユニット部の下面稜線を載置可能に、これら載置面及び下面稜線を構成し、
該組付け時に、該旋回に伴って前記くさび状片が下降し、該くさび状片のくさび状片接触面の傾斜面が、前記コイン容器固定レバーの一部に接触するように構成することで、該接触により前記ベースユニット部の旋回と共に、該傾斜面が、コイン容器固定レバーを押し広げるようにしたことを特徴とする請求項１記載のコイン投出装置。
【請求項３】
前記旋回によりフレーム部にベースユニット部を組付けて固定する際、フレーム部側のコイン容器固定レバー、及びベースユニット部が、互いに嵌まり込む凹凸部を、それぞれに設けたことを特徴とする請求項１又は２記載のコインコイン投出装置。
【請求項４】
コイン容器部先端に係止片を形成すると共に、
ベースユニット部にコイン容器部を組付ける際、組付け作業者側のコイン容器部先端が上下動となる旋回可能な旋回支点となるよう、組付け作業者の向こう側に位置するフレーム部の係合部に、コイン容器部の係合部を互いに係合可能に、これら係合部を構成し、
該組付け時に、コイン容器部の傾斜面の係止片接触面が、コイン容器固定レバーの一部に接触するように構成することで、該接触によりコイン容器部の前記旋回と共に、前記係止片接触面が、コイン容器固定レバーを押し広げるようにしたことを特徴とする請求項１〜３のいずれか１つに記載のコイン投出装置。
【請求項５】
コイン容器固定レバーの両端には、少なくとも内方向に伸びた一対の回転支点を設け、ベースフレームに回動自在に、コイン容器固定レバーを支持すると共に、
ベースフレームの表面には、ばねを収納するための凹部を持ち、
コイン容器固定レバーには、前記ばねに当接する下方向に伸びた作用腕を設け、
回転支点と作用腕の間には、コインが通過可能な隙間を形成したことを特徴とする請求項１〜４のいずれか１つに記載のコイン投出装置。
【発明の詳細な説明】
【技術分野】
【０００１】
本発明は、投出するためのコインを貯留するコイン容器部と、所定枚数のコインを投出する機構を有するベースユニット部と、該ベースユニット部を保持するフレーム部とを備え、組付け作業者が、これらコイン容器部及びベースユニット部をフレーム部上に組付け及び分解可能なコイン投出装置に係り、特に、フレーム部に対するベースユニット部やコイン容器部の組付けを、確実に容易に行うことができるコイン投出装置に関する。
【背景技術】
【０００２】
従来のコイン投出装置は、スロットマシン、両替機、自動販売機等の内部に配して、所定枚数のコインを払い出すために使用されるものであり、上側に向け開口する箱形に形成されたコイン容器部において、上方から受け入れたコインを貯留する。
【０００３】
又、該コイン容器部の下方に位置する、本体部となるベースユニット部は、貯留されたコインを該コイン容器部の底部の開口から搬入し、所定枚数のコインを投げ出す機構を内蔵している。例えば、該投出機構は、モータ駆動により回転し、コインを複数の開口部に１つずつ取り込み、払い出す回転ディスク等を有するベース板、これを保持するベースフレームにより構成され、回転ディスクの回転と共に開口部のコインが投出されるようになっている。
【０００４】
コイン容器部は、コイン投出装置の本体部の上部に対して、取り付け固定されている。又、コイン容器は、本体部に対して着脱が頻繁に生じるものであり、コイン容器が容易に着脱可能な構成のコイン投出装置が望まれる。
【０００５】
特許文献１では、その図２に示されるように、装置本体６（本体部）に対してホッパ２（コイン容器）を着脱する者より向こう側には、装置本体６のベース版（ホッパ取付部）８には、突起部（係止部）１４が設けられ、ホッパ２には、フック部材１２が設けられている。
【０００６】
まず、組付け作業者がホッパ２を取付ける場合、ホッパ２の向こう側のフック部材１２を装置本体６の突起部１４に引っかけた後、ホッパ２の手前側を引き下げると、ホッパ２のフランジ１３には、固定手段２６において、ばね２４により常時付勢されるフック片部１８が係合して、ホッパ２は装置本体６のベース版８に固定される。フック片部１８は、ベース版８に軸部２０で回動可能に支持されている。
【０００７】
次に、組付け作業者が装置本体６からホッパ２を取り外す場合、該フック片部１８と一体の操作片部１７を、ばね２４の付勢力に抗して手前側に引き、軸部２０で回動させると、ホッパ２のフランジ１３は、フック片部１８の係合から解除される。この後、ホッパ２の手前側を引き上げると、ホッパ２の向こう側のフック部材１２は、装置本体６の突起部１４から離れ、ホッパ２は装置本体６から取り外すことができる。
【先行技術文献】
【特許文献】
【０００８】
【特許文献１】特開２００４−３２６４１８号公報（図２）
【発明の概要】
【発明が解決しようとする課題】
【０００９】
しかしながら、特許文献１に例示されるコイン投出装置では、ホッパ２を着脱自在に固定する、固定手段２６のフック片部１８を付勢するばね２４の一端が、装置本体６に取り付けられるベース版８裏面のばね止め棒２３に固定され、他端は、装置本体６のフック部材１２を付勢するように固定されている。該フック部材１２は、装置本体６の組付け作業者手前側に、軸部２０で回動可能に支持されている。従って、ばね２４の一端は、ベース版８に係る部材に、この他端は、装置本体６に係る部材に取付けられる。
【００１０】
このため、先ず、ベース版８を装置本体６上面にねじ等により固定し、それからばね２４を取り付けることになり、この固定した状態で、装置本体６を逆さまにし、その付勢に抗して、ばね２４の一端はばね止め棒２３に、他端はフック部材１２に掛けなければならなかった。そのため、組付けに非常に手間がかかるという問題があった。
【００１１】
本発明は、前記従来の問題点を解決するためのもので、フレーム部に対するベースユニット部やコイン容器部の組付けを、確実に容易に行うことができるコイン投出装置を提供することを課題とする。
【課題を解決するための手段】
【００１２】
本発明は、投出するためのコインを貯留するコイン容器部と、所定枚数のコインを投出する機構を有するベースユニット部と、該ベースユニット部を保持するフレーム部とを備え、組付け作業者が、これらコイン容器部及びベースユニット部をフレーム部上に組付け及び分解可能なコイン投出装置であって、フレーム部に備える、コイン容器部の固定に用いるためのコイン容器固定レバーに、凸又は凹の形状を備えたベースユニット部固定部を設けると共に、この凸又は凹の形状は、コイン容器部未装着時に、該コイン容器固定レバーに働く付勢力によって押し付けることで、ベースユニット部側の形状に嵌まり込み、該ベースユニット部を固定可能な形状であり、フレーム部にベースユニット部を固定し組付けた後に、前記コイン容器固定レバーを少なくとも用いて、コイン容器部を、これらフレーム部及びベースユニット部に組付けることにより、前記課題を解決したものである。
【００１３】
ここで、フレーム部に組付け時に組付け作業者側となるベースユニット部の先端に、くさび状片を形成すると共に、該組付け時に、該先端が上下動となる旋回可能な旋回支点となるよう、組付け作業者の向こう側に位置するフレーム部の載置面に、ベースユニット部の下面稜線を載置可能に、これら載置面及び下面稜線を構成し、該組付け時に、該旋回に伴って前記くさび状片が下降し、該くさび状片のくさび状片接触面の傾斜面が、前記コイン容器固定レバーの一部に接触するように構成することで、該接触により前記ベースユニット部の旋回と共に、該傾斜面が、コイン容器固定レバーを押し広げるようにすることができる。
【００１４】
又、前記旋回によりフレーム部にベースユニット部を組付けて固定する際、フレーム部側のコイン容器固定レバー、及びベースユニット部が、互いに嵌まり込む凹凸部を、それぞれに設けることができる。
【００１５】
更に、コイン容器部先端に係止片を形成すると共に、ベースユニット部にコイン容器部を組付ける際、組付け作業者側のコイン容器部先端が上下動となる旋回可能な旋回支点となるよう、組付け作業者の向こう側に位置するフレーム部の係合部に、コイン容器部の係合部を互いに係合可能に、これら係合部を構成し、該組付け時に、コイン容器部の傾斜面の係止片接触面が、コイン容器固定レバーの一部に接触するように構成することで、該接触によりコイン容器部の前記旋回と共に、前記係止片接触面が、コイン容器固定レバーを押し広げるようにすることができる。
【００１６】
更には、コイン容器固定レバーの両端には、少なくとも内方向に伸びた一対の回転支点を設け、ベースフレームに回動自在に、コイン容器固定レバーを支持すると共に、ベースフレームの表面には、ばねを収納するための凹部を持ち、コイン容器固定レバーには、前記ばねに当接する下方向に伸びた作用腕を設け、回転支点と作用腕の間には、コインが通過可能な隙間を形成することができる。
【発明の効果】
【００１７】
本発明のコイン投出装置によれば、フレーム部に備える、コイン容器部の固定に用いるためのコイン容器固定レバーにより、フレーム部に、ベースユニット部を固定し、組み付けることができ、更に、このコイン容器固定レバーを用いて、コイン容器部をフレーム部上に固定し、組み付けることができ、従って、フレーム部に対するベースユニット部やコイン容器部の組付けを、確実に容易に行うことができる。
【００１８】
更に、フレーム部にベースユニット部を組付ける際、組付け作業者側となるベースユニット部の先端が上下動する旋回可能な旋回支点となるよう、組付け作業者の向こう側に位置するフレーム部の載置面に、ベースユニット部の下面稜線を載置する。又、該先端には、くさび状片を設け、該旋回により該先端を下降させることで、コイン容器固定レバーを押し広げることができ、更には、コイン容器固定レバーに設けられたベースユニット部固定部の凸又は凹の形状が、コインガイドに設けられたベースユニット部固定部の凹又は凸の形状に嵌り、コイン容器固定レバーに働く付勢力によって、ベースユニット部は固定される。このため、ねじ止め等の作業も発生せず、容易に組付けることができ、コイン容器部が未装着時であってもベースユニット部を固定でき、脱落の心配がない。
【００１９】
又、ベースユニット部にコイン容器部を組付ける際、組付け作業者側のコイン容器部先端が上下動する旋回可能な旋回支点となるよう、組付け作業者の向こう側に位置するフレーム部の係合部に、コイン容器部の係合部を互いに係合させる。このコイン容器部の組付けの際、コイン容器部には係止片を設けてあるので、コイン容器部を旋回させて、該係止片が下降すると、該係止片の傾斜面の係止片接触面がベースユニット部側のコイン容器固定レバーの一部に接触し、これにより、該コイン容器固定レバーを押し広げることができ、更に、係止片上面がコイン容器固定レバーの内壁面の先端と略当接し、コイン容器固定レバーに働く付勢力によって、コイン容器部は固定される。従って、特許文献１と同様にねじ止め等の作業も発生せず、コイン容器部を容易に組付けられる。
【００２０】
更に、以上に説明したように、コイン容器部未装着時のベースユニット部の固定、及び、コイン容器装着時のコイン容器の固定をコイン容器固定レバーだけで行っているので、コスト的にも優れる。
【００２１】
更には、コイン容器固定レバーに付勢力を発生させるばねは、ベースフレームの表面部に設けられた凹部にばねを収納されているので、該ばねは、ベースユニット部のフレーム部やコイン容器部に対する組付け状態に係わらず取付けることができる。従って、特許文献１に例示されるコイン投出装置のように、コイン投出装置の本体部（特許文献１の装置本体６）を逆さまにし、ばね掛けをするといった面倒な作業はなく、容易に組付けが可能である。
【００２２】
又、コイン容器固定レバーの略中央部から下方向に伸びた作用腕に付勢力が働くことで、樹脂によって成形されたコイン容器固定レバーは弓なりに変形しやすく、外方向に伸びた回転支点はベースフレームから外れやすいが、内方向に伸びた回転支点を設けることにより、ベースフレームから外れるのを防止することができる。
【００２３】
更に、作用腕と内方向に伸びた回転支点の間に、コインが通過できるだけの十分な空間を設けてあるので、コイン容器を外した際に、コイン容器に収納されていたコインがこぼれたとしても、コイン容器固定レバーとベースフレームの間にコインが滞留することがなく、コイン容器装着時にコイン容器固定レバーがコイン容器を固定できないといったトラブルが防止できる。
【図面の簡単な説明】
【００２４】
【図１】本発明が適用された一実施形態を示すコイン投出装置の外観斜視図
【図２】上記実施形態のコイン投出装置を要部に分解した分解図
【図３】図１における直線Ａ１−Ａ２を含む垂直断面を、手前側から向こう側に見た断面図
【図４】前記実施形態のコイン投出装置において、コイン容器部を取り除き、回転ディスクは上方へ取り外した状態で図示した、ベースユニット部及びフレーム部の斜視図
【図５】前記実施形態のコイン投出装置のベースユニット部を上方から見た平面概略図
【図６】前記実施形態のコイン投出装置においてフレーム部が備えるコイン容器固定レバーの斜視図
【図７】前記実施形態のフレーム部が備えるコイン容器固定レバーを用いる、ベースユニット部の組付け固定機構の組付け開始状態を示す断面図
【図８】上記開始状態以降、組付けの完了状態までにおける、第１段階の状態（上記開始状態）を示す、ベースユニット部先端に設けられたくさび状片とコイン容器固定レバー上面の動作を示すこれら周辺の拡大断面図
【図９】同第２段階の拡大断面図
【図１０】同第３段階の拡大断面図
【図１１】同第４段階（組付けの完了状態）の拡大断面図
【図１２】前記実施形態におけるフレーム部のコイン容器固定レバーを用いる、コイン容器部の組付け固定機構の組付け開始状態を示す断面図
【図１３】上記開始状態以降、組付けの完了状態までにおける、第１段階の状態（上記開始状態）を示す、コイン容器下端に設けられた係止片とコイン容器固定レバーの動作を示すこれら周辺の拡大断面図
【図１４】同第２段階の拡大断面図
【図１５】同第３段階（組付けの完了状態）の拡大断面図
【発明を実施するための形態】
【００２５】
以下、図を用いて本発明の実施の形態を詳細に説明する。
【００２６】
図１は本発明が適用された一実施形態を示すコイン投出装置の外観斜視図、図２は、本実施形態のコイン投出装置を要部に分解した分解図、図３は、本実施形態のコイン投出装置の、図１における直線Ａ１−Ａ２を含む垂直断面を、手前側から向こう側に見た断面図である。
【００２７】
図に示されるように、本実施形態のコイン投出装置１は、上方から投入されるコインを貯留するコイン容器部３と、回転ディスク４１等を配され、該コイン容器部３の下部から搬入される貯留コインを計数しつつ所定数だけ投出するベースユニット部４（図２）と、スロットマシン、両替機、自動販売機等の内部に該ベースユニット部４を保持するフレーム部２とで概略構成される。
【００２８】
コイン容器部３は、コインを貯留するコイン容器３０と、コイン容器３０から溢れたコインを別の容器（図示なし）へと排出する経路であるシュート３１とで概ね構成される。又ベースユニット部４は、コイン容器３０の底部に配され、取り込んだコインを回転に伴わせて投出する回転ディスク４１と、回転ディスク４１に取り込まれたコインの円周摺動方向のガイド及びコイン払出し口の隙間を規制するコインガイド４２と、回転ディスク４１を回転駆動させる駆動装置としての駆動モータ４３と、回転ディスク４１の回転に伴い投出されるコインを計数するための計数装置５と、コイン排出口付近の幅を規制する排出プレート４４と、これらを載置したベースプレート４０で概ね構成される。更に、フレーム部２は、ベースユニット部４を保持したベースフレーム２０とコイン容器部３を固定するコイン容器固定レバー２１で概ね構成される。
【００２９】
コイン容器３０は、上方に開口する箱形形状をなしていて、底部に円筒開口部３０１が形成されている。コイン容器３０底部の円筒開口部３０１は、コインガイド４２上面に形成された円筒開口部４２１と略同一径で形成されており、コイン容器３０に投入されたコインは、コイン流下部３０２及びコイン容器３０底部の円筒開口部３０１、コインガイド４２上面の円筒開口部４２１を介して、徐々に回転ディスク４１に供給されるようになっている。
【００３０】
図４は、本実施形態のコイン投出装置１において、コイン容器部３を取り除き、回転ディスク４１は上方へ取り外した状態で図示した、ベースユニット部４及びフレーム部２の斜視図である。
【００３１】
まず、ベースフレーム２０は、水平面に対し略４５°傾斜した面にベースプレート４０を載置している。更に、このベースプレート４０上面には、コインガイド４２、排出プレート４４が固定され、コイン摺動面４０１と、コイン払出し口４０２が形成される。このうち、コイン摺動面４０１は、コインガイド４２内周面４２２によって、回転ディスク４１と略等しい円形状に形成されている。又、本実施形態において、回転ディスク４１には、コイン大より大きめの６つの開口部４１２が形成されている。
【００３２】
又、ベースプレート４０裏面には、前述の図３に示されるように、回転ディスク４１を回転駆動させる駆動モータ４３を保持しており、駆動モータ４３のモータ軸４３１は、図４に示すように、ベースプレート４０上面のコイン摺動面４０１の中央より突出している。そして、回転ディスク４１は、裏面がコイン摺動面４０１に略当接するようにモータ軸４３１に軸受けされて、コイン摺動面４０１を覆うとともに、駆動モータ４３により、矢印Ａ方向に回動駆動されるようになっている。
【００３３】
図５は、本実施形態のコイン投出装置のベースユニット部４を上方から見た平面概略図である。
【００３４】
この図において、回転ディスク４１は、ベースユニット部４のコインガイド４２に搭載され、組み上げられている。回転ディスク４１において、表面乃至は裏面がコイン摺動面４０１に平行な状態で、コイン容器３０から個々の開口部４１２に取り込まれたコインは、回転ディスク４１の回転に伴い、コイン摺動面４０１に片面を接し、又、コイン側面はコインガイド４２内周面４２２に接した状態で、回転ディスク４１の円周方向に沿って摺動する。
【００３５】
コイン払出し口４０２は、コイン摺動面４０１と連続面をなしており、このコイン払出し口４０２は、回転ディスク４１の回転に伴い、該コイン払出し口４０２の位置にある開口部４１２より、図５の矢印Ｂのように、コインをコイン摺動面４０１より遠心方向に向けてコイン投出装置１外に投出する際にコインを通過させる。この際、コインは、後述する空間４１３を通過することになる。
【００３６】
回転ディスク４１は、略円盤状に概略構成されており、直径がコインより大きく設定された複数の円形の開口部４１２を、各々回転ディスク４１の表裏を貫通した状態に、回転ディスク４１の円周方向に並べて備えている。この開口部４１２によりコイン容器３０内のコインを取り込んだ状態で回転ディスク４１が回転すると、コインは、コイン摺動面４０１に対し片面を接するとともに、コイン側面がコインガイド４２の内周面４２２に接した状態で、円弧状にコイン摺動面４０１を摺動する。
【００３７】
又、回転ディスク４１の裏面には、開口部４１２内に取り込まれたコインを、コイン摺動面４０１に対し回転ディスク４１の遠心方向に位置するコイン払出し口４０２側へと導出可能な空間４１３が形成されている。この空間４１３は、回転ディスク４１において、各開口部４１２に付随して形成されている。そして、開口部４１２内に取り込まれたコインが、回転ディスク４１が回転することによりコイン払出し口４０２に臨む位置に達すると、コインは遠心力に伴い上記空間４１３を介してコイン払出し口４０２側へと導出されて、図５に示すコイン６の状態となる。
【００３８】
ここで、計数装置５は、検出ローラ５１を先端に有する検出レバー（図示なし）を備え、この検出ローラ５１は、コイン摺動面４０１とコイン払出し口４０２との境界部において、ベースプレート４０上面よりも上側に突出しているとともに、境界部の間隔Ｗを狭める方向に付勢されている。そして、コインが回転ディスク４１の裏側の上記空間４１３を介して開口部４１２内よりコイン払出し口４０２側へと導出される度に、検出ローラ５１が付勢に抗して移動し、この移動に伴い検出レバー（図示なし）も揺動する。そして、検出レバー（図示なし）の揺動回数を検出することにより、コインの投出回数を計数することが可能となっている。
【００３９】
なお、常時は、検出ローラ５１と排出プレート４４との間隔Ｗが、コインの直径よりも小さく設定されているのに加え、上記のように検出ローラ５１は付勢されているため、遠心力によりコインが導出されるのは、図５示すコイン６の状態までである。そして、この状態よりも回転ディスク４１の遠心方向にコインが導出されるのは、回転ディスク４１の裏面に形成された押出部４１４の作用による。すなわち、回転ディスク４１裏面の押出部４１４（「ひれ」ともいう。）は、図５示す状態のコイン６を矢印Ｂ方向に後押しして、コイン６を介して検出ローラ５１を付勢に抗して移動させることにより、検出ローラ５１と排出プレート４４との間隔Ｗを押し広げる。この結果、コイン６は、コイン排出口４０２へと導出され、引き続きコイン排出口４０２よりコイン投出装置１外へと投出される。
【００４０】
このように、コイン投出装置１は、回転ディスク４１の上面側より開口部４１２を介して取り込んだコイン６を、回転ディスク４１の裏面側の上記空間４１３を介して、回転ディスク４１の回転に伴わせて１枚ずつ順次投出することができる。
【００４１】
図６は、本実施形態のコイン投出装置においてフレーム部２が備えるコイン容器固定レバー２１の斜視図である。
【００４２】
以上の構成のコイン投出装置１において、ベースフレーム２０には、コイン容器固定レバー２１が、内方向に伸びた回転支点２１１、及び外方向に伸びた回転支点２１２により、回動自在に支持されている。又、コイン容器固定レバー２１の略中央部から下方向の伸びた作用腕２１３は、ベースフレーム２０の表面部に設けられた凹部２０２に収納されたばね２２に当接することによって、図３のＣ方向に付勢されている。
【００４３】
一般的にコイン容器固定レバー２１は樹脂で成形されているため、略中央部に配置された作用腕２１３に付勢力が働くと弓なりに変形しやすく、コイン容器固定レバー２１の両端に設けられ外方向に伸びた回転支点２１２は内側に倒れ、ベースフレーム２０からはずれやすい。本実施形態においては、回転支点のはずれを防止するために、内方向に伸びた回転支点２１１と外方向に伸びた回転支点２１２の両方を設けてあるが、内方向に伸びた回転支点２１１だけであっても構わない。
【００４４】
更に、作用腕２１３と内方向に伸びた回転支点２１１の間には、コインが通過できるだけの十分な空間２１９が設けてある。これは、コイン容器３０を外した際に、コイン容器３０に収納されていたコインが、フレーム部２内にこぼれて、コイン容器固定レバー２１とベースフレーム２０の間に滞留するのを防ぐ。これらの間にコインが滞留していると、コイン容器３０装着時に、コイン容器固定レバー２１がコイン容器３０をベースフレーム２０に固定できない場合がある。
【００４５】
図７は、本実施形態のフレーム部２が備えるコイン容器固定レバー２１を用いる、ベースユニット部４の組付け固定機構の組付け開始状態を示す断面図である。又、図８〜図１１は、該開始状態以降、組付けの完了状態まで、各段階の状態を順次示す、ベースユニット部４先端に設けられたくさび状片４２３とコイン容器固定レバー上面２１４の動作を示すこれら周辺（図７の円形図示の領域）の拡大断面図である。
【００４６】
組付け作業者がフレーム部２上にベースユニット部４を取り付ける際、まず、図７に示すように、ベースユニット部４は、ベースフレーム２０内部に設けられたベースユニット載置面２０３にベースプレート下面稜線４０３が載置され、この稜線４０３が旋回支点となり、Ｄ方向に旋回させながら組付ける。
【００４７】
ここで、ベースユニット部４において、ベースプレート下面稜線４０３の他端側には、コインガイド４２先端にくさび状片４２３が設けられている。又、フレーム部２において、コイン容器固定レバー２１のベースユニット部固定部先端２１５（図８〜図１１）は、組付けの完了状態に、該くさび状片４２３が嵌り込まれ、ベースユニット部４はフレーム部２に固定される。
【００４８】
なお、くさび状片先端４２４は、ベースプレート下面稜線４０３を旋回支点とした旋回の際、図３のＣ方向に付勢されたコイン容器固定レバー上面２１４に、接触しない位置に設けられている。又、くさび状片４２３において、くさび状片先端４２４からくさび状片端面４２６を結ぶくさび状片接触面４２５は、滑らかな曲線もしくは直線によって構成されており、コイン容器固定レバー上面２１４に接触するように構成されている。従って、該旋回の際、くさび状片先端４２４が、コイン容器固定レバー上面２１４に引っかかり、該旋回が滞ることがない。
【００４９】
上述のように旋回させ、ベースプレート下面稜線４０３を旋回支点とし、ベースユニット部４を矢印Ｄの方向に旋回させていくと、まず、くさび状片接触面４２５がコイン容器固定レバー上面２１４に接触し、図７及び図８のような状態となる。ここで、拡大図の図８では、くさび状片接触面４２５がコイン容器固定レバー上面２１４に接触している。
【００５０】
ベースユニット部４が更に旋回していくと、図９に示すように、コイン容器固定レバー２１に働いているＣ方向の付勢力に抗して、コイン容器固定レバー２１を押し広げていき、コイン容器固定レバー上面２１４は、くさび状片端面４２６と接触する。
【００５１】
このとき、コイン容器固定レバー２１に設けられたベースユニット部固定部先端２１５は、くさび状片先端４２４に接触しない位置に設けられており、且つ、更にベースユニット部４が旋回した際には、図１０に示すようにくさび状片接触面４２５がベースユニット部固定部先端２１５と接触するように構成されている。
【００５２】
くさび状片接触面４２５がベースユニット部固定部先端２１５と接触した状態で、更にベースユニット部４が旋回していくと、前記同様にコイン容器固定レバー２１に働いているＣ方向の付勢力に抗して、コイン容器固定レバー２１を押し広げていき、最終的には図１１に示すように、ベースユニット部固定部先端２１５がくさび状片端面４２６を乗り越え、ベースユニット部固定凸部２１６がくさび状片４２３の上面に設けられたベースユニット部固定凹部４２７に嵌り、コイン容器固定レバー２１に働いているＣ方向の付勢力によってベースユニット部４はフレーム部２に固定される。
【００５３】
本提案の一実施例においては、コイン容器固定レバー上面２１４がくさび状片接触面４２５からくさび状片端面４２６と当接しながら押し広げられ、次いでベースユニット部固定部先端２１５がくさび状片接触面４２５と当接することで更に押し広げられる構成であるが、くさび状片接触面４２５やくさび状片端面４２６がコイン容器固定レバー上面２１４に当接することなくベースユニット固定部先端２１５に当接し、コイン容器固定レバー２１を押し広げる構成であっても構わない。
【００５４】
次に、図１２は、本実施形態におけるフレーム部２のコイン容器固定レバー２１を用いる、コイン容器部３の組付け固定機構の組付け開始状態を示す断面図である。又、図１３〜図１５は、該開始状態以降、組付けの完了状態まで、各段階の状態を順次示す、コイン容器３０下端に設けられた係止片３０４とコイン容器固定レバー２１の動作を示すこれら周辺（図１２の円形図示の領域）の拡大断面図である。
【００５５】
図７〜図１１により説明したように、フレーム部２にベースユニット部４を組付けた後、該ベースユニット部４に対してコイン容器部３を組付けることになる。
【００５６】
組付け作業者がベースユニット部４上にコイン容器部３を取り付ける際には、まず、図１２に示すように、コイン容器３０下端に設けられた係合凸部３０３を旋回可能に、ベースフレーム上端に設けられた係合凹部２０１に係合させることになる。又、係合後、該係合部分を支点とし、Ｅ方向に旋回させながら、ベースユニット部４上にコイン容器部３を組付ける。
【００５７】
ここで、コイン容器部３において、該係合凸部３０３の他端側には、係止片３０４が設けられている。又、フレーム部２において、コイン容器固定レバー２１には、組付けの完了状態に、該係止片３０４が嵌り込まれ、コイン容器部３はフレーム部２に固定される。
【００５８】
なお、係止片先端３０５は、前記コイン容器固定レバー２１がベースユニット部４を固定している状態で、コイン容器固定レバー上面２１４に接触しない位置に設けられている。又、係止片先端３０５から係止片端面３０７を結ぶ係止片接触面３０６は、滑らかな曲線もしくは直線によって構成され、コイン容器固定レバー上面２１４に接触するように構成されている。従って、前述のようにＥ方向に旋回させる際、係止片先端３０５が、コイン容器固定レバー上面２１４に引っかかってしまい、該旋回が滞ることがない。
【００５９】
コイン容器３０下端の係合凸部３０３、及びベースフレーム上端の係合凹部２０１の係合部分を支点とし、上述のように旋回させていくと、まず、係止片接触面３０６がコイン容器固定レバー上面２１４に接触し、図１２及び図１３のような状態となる。ここで、拡大図の図１３では、係止片接触面３０６がコイン容器固定レバー上面２１４に接触している。
【００６０】
前記コイン容器固定レバー２１がベースユニット部４を固定している状態で、コイン容器部３が更に旋回していくと、コイン容器固定レバー２１に働いているＣ方向の付勢力に抗して、コイン容器固定レバー２１を押し広げる。
【００６１】
そして、図１４に示すように、コイン容器固定レバー上面２１４は、係止片端面３０７を乗り越え、最終的には図１５に示すように係止片上面３０８はコイン容器固定レバー２１の内部へ収納され、係止片上面３０８がコイン容器固定レバー２１の内壁面２１８の先端部が略当接することにより、コイン容器３０はフレーム部２に固定される。
【００６２】
ここで、図７〜図１１のようにしてフレーム部２にベースユニット部４を組み付けた状態で、上述のように、更にコイン容器部３を組み付けると、該組み付けでコイン容器部３によりベースユニット部４が押さえられ、ベースユニット部固定凸部２１６と、ベースユニット部固定凹部４２７とには、図１５の符号Ｓ１で示される隙間ができるように構成されている。この際、ベースユニット部４は、コイン容器部３とフレーム部２とに挟まれることにより固定される。なお、この隙間Ｓ１の部分は、ベースユニット部４が組付けられた後で、且つ、コイン容器部３が組付けられる前には、前述の図１１の符号Ｓ０に示すように、隙間がない状態となる。
【００６３】
これに対して、コイン容器部３を組付けたとき、係止片上面３０８がコイン容器固定レバー２１の内壁面２１８の先端部が略当接するより前に、ベースユニット部固定凸部２１６とベースユニット部固定凹部４２７が嵌ってしまい、この隙間Ｓ１がない状態であると、コイン容器３０はフレーム部２に十分に固定できなくなる可能性が生じてしまう。
【００６４】
以上のように、本実施形態では、ベースユニット部４は、コイン容器固定レバー２１側の部位の凹凸形状、及びベースユニット部４側の部位の凸凹形状が嵌り合って、フレーム部２に固定される。又、コイン容器部３についても、コイン容器固定レバー２１側の部位の凹凸形状、及びコイン容器部３側の部位の凸凹形状が嵌り合って、フレーム部２に固定される。
【００６５】
ここで、上記のように互いに嵌り合う凹凸形状は、どちらが凹形状であってどちらが凸形状であるか、特に限定されるものではない。又、凹凸形状を互いに嵌め込む付勢力についても特に限定されるものではない。本実施形態のばね２２の如く、コイン容器固定レバー２１や、その周辺に設けるばねを用いるようにしてもよく、あるいは、コイン容器固定レバー２１を構成する何らかの部材が有する弾性力を活用するようにしてもよい。
【符号の説明】
【００６６】
１…コイン投出装置
２…フレーム部
２０…ベースフレーム
２０１…係合凹部
２０３…ベースユニット載置面
２１…コイン容器固定レバー
２１４…コイン容器固定レバー上面
２１５…ベースユニット部固定部先端
２１６…ベースユニット部固定凸部
３…コイン容器部
３０…コイン容器
３０１…円筒開口部
３０２…コイン流下部
３０３…係合凸部
３０４…係止片
３０５…係止片先端
３０６…係止片接触面
３０７…係止片端面
３０８…係止片上面
４…ベースユニット部
４０２…コイン払出し口
４０３…ベースプレート下面稜線
４１…回転ディスク
４１２…開口部
４２…コインガイド
４２３…くさび状片
４２４…くさび状片先端
４２５…くさび状片接触面
４２６…くさび状片端面
４２７…ベースユニット部固定凹部
４３…駆動モータ
４３１…モータ軸
４４…排出プレート
５…計数装置
６…コイン
【図１】
2010218167.tif 000003
【図２】
2010218167.tif 000004
【図３】
2010218167.tif 000005
【図４】
2010218167.tif 000006
【図５】
2010218167.tif 000007
【図６】
2010218167.tif 000008
【図７】
2010218167.tif 000009
【図８】
2010218167.tif 000010
【図９】
2010218167.tif 000011
【図１０】
2010218167.tif 000012
【図１１】
2010218167.tif 000013
【図１２】
2010218167.tif 000014
【図１３】
2010218167.tif 000015
【図１４】
2010218167.tif 000016
【図１５】
2010218167.tif 000017